(57)【要約】【課題】本発明はブック読取モードと自動搬送読取モードとで読取手段による読取レベルを同等のレベルにする画像読取装置を提供する。【解決手段】スキャナ１は、コンタクトガラス３上に載置された原稿Ｇをスキャナ部９が移動しながら読み取るブック読取モードと、ＳＤＦ１０により原稿読取位置Ｙを搬送される原稿Ｇを停止するスキャナ部９で読み取るＳＤＦ読取モードを有し、両モードにおいてスキャナ部９で所定の基準原稿Ｐａを読み込んだときに、当該各読取モードでの読取レベルを同等のレベルに補正する。したがって、安価かつ高精度に両読取モードの読取レベルを関連させて補正して、読取画像の画像品質を向上させることができる。【選択図】          図１
2005094300.tif 000002
【特許請求の範囲】
【請求項１】
原稿が載置される原稿読取台と、原稿台上に載置された複数枚の原稿を１枚ずつ分離して原稿読取位置に搬送するとともに、当該原稿読取位置で読み取られる原稿を搬送しつつ排出する自動原稿搬送装置と、前記原稿読取台の下方に配設され当該原稿読取台上の原稿に読取光を照射して当該原稿からの反射光を光電変換素子で光電変換して当該原稿を主走査するとともに副走査方向に移動して当該原稿を副走査して当該原稿の画像を読み取るとともに、前記原稿読取位置の下方に移動して当該原稿読取位置に停止し、当該原稿読取位置を前記自動原稿搬送装置で搬送される原稿に読取光を照射して当該原稿からの反射光を前記光電変換素子で光電変換して当該搬送される原稿の画像を読み取る読取手段と、を備え、前記原稿読取台上に載置された原稿を前記読取手段が移動しながら読み取るブック読取モードと、前記自動原稿搬送装置により前記原稿読取位置を搬送される原稿を停止する前記読取手段で読み取る自動搬送読取モードと、を備えた画像読取装置において、前記ブック読取モードと前記自動搬送読取モードとで、前記読取手段で所定の基準原稿を読み込んだときに、当該各読取モードでの読取レベルを同等のレベルに補正する補正手段を備えていることを特徴とする画像読取装置。
【請求項２】
前記補正手段は、前記ブック読取モードと前記自動搬送読取モードとで、前記読取手段で前記基準原稿を読み取ったときに、当該基準原稿の予め設定された基準領域の読取レベルを自動検出し、当該基準領域の前記各読取モードでの読取レベルを同等のレベルに補正することを特徴とする請求項１記載の画像読取装置。
【請求項３】
前記補正手段は、前記ブック読取モードと前記自動搬送読取モードとで、前記読取手段で前記基準原稿を読み取ったときの前記基準領域の読取データに補正係数を演算処理して、各読取モードでの読取レベルを同等のレベルに補正することを特徴とする請求項２記載の画像読取装置。
【請求項４】
前記基準原稿は、前記基準領域に、濃度の異なる複数の基準パターンが形成されており、前記補正手段は、当該基準原稿の各基準パターンの読取レベルに基づいて、前記各読取モードでの読取レベルを同等のレベルに補正することを特徴とする請求項２または請求項３記載の画像読取装置。
【請求項５】
前記画像読取装置は、前記読取手段としてカラー画像を読み取って各色の色信号を出力するカラー読取手段を備え、前記補正手段は、前記ブック読取モードと前記自動搬送読取モードとで、当該カラー読取手段の読み取った前記基準原稿の読取レベルを各色信号毎に検出して、当該各色信号毎に各読取モードでの読取レベルを同等のレベルに補正することを特徴とする請求項１から請求項４のいずれかに記載の画像読取装置。
【発明の詳細な説明】
【技術分野】
【０００１】
本発明は、画像読取装置に関し、詳細には、ブック読取モードと自動搬送読取モードとで同じ読取レベルにする画像読取装置に関するものである。
【背景技術】
【０００２】
スキャナ装置、複写装置及びファクシミリ装置等の原稿の画像を光学的に読み取る画像読取装置においては、従来から複数枚の原稿を効率的に読み取るために、ＳＤＦ（シートスルー・ドキュメント・フィーダ）を使用して、複数枚の原稿を１枚ずつ分離して読取部の読取位置に搬送し、読取部のコンタクトガラス上を搬送される原稿に、当該コンタクトガラスの下方に配置された読取部の光源から光を投射して、原稿で反射された光を所定の光路を通過させてＣＣＤ（Charge Coupled Device ）等の光電変換素子に入射して、原稿の画像を読み取っている。
【０００３】
このような画像読取装置においては、装置の小型化を図るために、ＳＤＦの搬送経路が原稿を反転させる構成となっている。
【０００４】
したがって、ＳＤＦ用コンタクトガラスの読取位置で原稿の紙のこし等によって、ガラス面に密着しない、いわゆる原稿に浮きが生じやすい。すなわち、原稿台にセットされた原稿を上から圧板で押さえつけて読み取りを行う圧板モード（ブック読取モード）に比較して、ＳＤＦ読取モード（自動搬送読取モード）では暗い画像になる。また、原稿に対するランプの照射条件もＳＤＦ読取モードと圧板モードで異なるため、同じ原稿を読み取っても読取レベルが変化してしまう。
【０００５】
そして、従来、原稿台を用いる第１読取手段の入出力特性に対応する補正用データ、および自動原稿送り装置および原稿読取窓を用いる第２読取手段の入出力特性に対応する補正用データのいずれかを、各読取手段の作動状態に応じて選択し、画像処理部に入力される読取画像データを上記選択した補正用データに基づいて補正する画像形成装置が提案されている（特許文献１参照）。
【０００６】
また、原稿自動搬送手段によって搬送中の原稿に、光照射手段によって光が照射され、該照射された光に応じて当該原稿から反射された光を受光し電気信号に変換する光電変換手段によって変換された電気信号に対して信号処理が施され、この信号処理のうち所定の信号処理が、所定画像の記載された原稿から前記原稿自動搬送手段、光照射手段および光電変換手段を介して得られた電気信号に基づいて補正することで、原稿自動搬送手段によって原稿を当該画像読み取り装置に送りながら原稿画像を読み取る場合でも、原稿画像を正確な読み取りを行って、搬送ローラの上下変動に起因する原稿画像読み取り信号の劣化のない画像読み取りを図った図った画像読み取り装置、その制御方法および記憶媒体が提案されている（特許文献２参照）。
【０００７】
さらに、本出願人は、先に、読み取り光学系を備えたキャリッジと、原稿搬送手段と、キャリッジ移動手段とを備え、キャリッジを移動させ、定置した原稿を読み取るモード及びキャリッジを固定し、原稿搬送手段による搬送途中に原稿を読み取るモードの両モードの動作が可能な画像読み取り装置であって、キャリッジの移動位置に第１の白基準体を、読み取り光学系の全読み取り領域にわたって設けるとともに、キャリッジの前記固定位置に第２の白基準体を、読み取り光学系の全読み取り領域にわたって設け、第１又は第２の白基準体の読み取りデータに基づいてシェーディング補正を行う手段と、第１及び第２の白基準体の読み取りデータに基づいて両モードの読み取りデータ間の差を補正する手段を備えたことを特徴とする画像読み取り装置（特許文献３参照）。
【０００８】
すなわち、この画像読取装置は、キャリッジの移動位置に第１の白基準体、キャリッジの前記固定位置に第２の白基準体を設け、第１又は第２の白基準体の読み取りデータに基づいてシェーディング補正を行い、第１及び第２の白基準体の読み取りデータに基づいてブック読み取りとシートスルー読み取りの両モードの読み取りデータ間の差を補正するようにしたことにより、いずれのモードの読み取りを行っても、読み取り出力に違いがなく、適正な画像データを得ることが可能になる。
【０００９】
【特許文献１】特開２００２−１７６５４０号公報
【特許文献２】特開２００２−３２５１６７号公報
【特許文献３】特開２００２−２７１６２０号公報
【発明の開示】
【発明が解決しようとする課題】
【００１０】
しかしながら、簡単にかつ精度よくブック読取モードと自動搬送読取モードでの読取レベルを同等のレベルに補正して、画像品質を向上させる上で改良の必要があった。
【００１１】
すなわち、上記従来技術にあっては、ブック読取モードと自動搬送読取モードでの読取レベルをそれぞれ独立して調整しているために、大がかりな部品や回路構成を必要とし、コストが高くなるとともに、補正精度が不十分であり、読取画像の画像品質を向上させる上で改良の必要があった。
【００１２】
そこで、請求項１記載の発明は、原稿読取台上に載置された原稿を読取手段が移動しながら読み取るブック読取モードと、自動原稿搬送装置により原稿読取位置を搬送される原稿を停止する読取手段で読み取る自動搬送読取モードとで、読取手段で所定の基準原稿を読み込んだときに、当該各読取モードでの読取レベルを同等のレベルに補正手段で補正することにより、簡単な構成で、両読取モードでの読取レベルを同等のレベルに補正し、安価かつ高精度に両読取モードの読取レベルを関連させて補正して、安価に読取画像の画像品質を向上させる画像読取装置を提供することを目的としている。
【００１３】
請求項２記載の発明は、補正手段が、ブック読取モードと自動搬送読取モードとで、読取手段で基準原稿を読み取ったときに、当該基準原稿の予め設定された基準領域の読取レベルを自動検出し、当該基準領域の各読取モードでの読取レベルを同等のレベルに補正することにより、安価かつより一層高精度に両読取モードの読取レベルを同等のレベルに補正し、安価に読取画像の画像品質をより一層向上させる画像読取装置を提供することを目的としている。
【００１４】
請求項３記載の発明は、補正手段が、ブック読取モードと自動搬送読取モードとで、読取手段で基準原稿を読み取ったときの基準領域の読取データに補正係数を演算処理して、各読取モードでの読取レベルを同等のレベルに補正することにより、安価かつより一層高精度に両読取モードの読取レベルを同等のレベルに補正し、安価に読取画像の画像品質をより一層向上させる画像読取装置を提供することを目的としている。
【００１５】
請求項４記載の発明は、基準原稿を、基準領域に、濃度の異なる複数の基準パターンが形成されたものとし、補正手段が、当該基準原稿の各基準パターンの読取レベルに基づいて、各読取モードでの読取レベルを同等のレベルに補正することにより、基準原稿の基準パターンに基づいて、より一層高精度に両読取モードの読取レベルを同等のレベルに補正し、読取画像の画像品質をより一層向上させる画像読取装置を提供することを目的としている。
【００１６】
請求項５記載の発明は、画像読取装置を、読取手段としてカラー画像を読み取って各色の色信号を出力するカラー読取手段を備えたものとし、補正手段が、ブック読取モードと自動搬送読取モードとで、当該カラー読取手段の読み取った基準原稿の読取レベルを各色信号毎に検出して、当該各色信号毎に各読取モードでの読取レベルを同等のレベルに補正することにより、カラーの画像読取装置のブック読取モードと自動搬送読取モードでの読取手段の各色毎の読取レベルを同等のレベルに高精度に補正し、読取画像の画像品質を向上させるカラーの画像読取装置を提供することを目的としている。
【課題を解決するための手段】
【００１７】
請求項１記載の発明の画像読取装置は、原稿が載置される原稿読取台と、原稿台上に載置された複数枚の原稿を１枚ずつ分離して原稿読取位置に搬送するとともに、当該原稿読取位置で読み取られる原稿を搬送しつつ排出する自動原稿搬送装置と、前記原稿読取台の下方に配設され当該原稿読取台上の原稿に読取光を照射して当該原稿からの反射光を光電変換素子で光電変換して当該原稿を主走査するとともに副走査方向に移動して当該原稿を副走査して当該原稿の画像を読み取るとともに、前記原稿読取位置の下方に移動して当該原稿読取位置に停止し、当該原稿読取位置を前記自動原稿搬送装置で搬送される原稿に読取光を照射して当該原稿からの反射光を前記光電変換素子で光電変換して当該搬送される原稿の画像を読み取る読取手段と、を備え、前記原稿読取台上に載置された原稿を前記読取手段が移動しながら読み取るブック読取モードと、前記自動原稿搬送装置により前記原稿読取位置を搬送される原稿を停止する前記読取手段で読み取る自動搬送読取モードと、を備えた画像読取装置において、前記ブック読取モードと前記自動搬送読取モードとで、前記読取手段で所定の基準原稿を読み込んだときに、当該各読取モードでの読取レベルを同等のレベルに補正する補正手段を備えていることにより、上記目的を達成している。
【００１８】
この場合、例えば、請求項２に記載するように、前記補正手段は、前記ブック読取モードと前記自動搬送読取モードとで、前記読取手段で前記基準原稿を読み取ったときに、当該基準原稿の予め設定された基準領域の読取レベルを自動検出し、当該基準領域の前記各読取モードでの読取レベルを同等のレベルに補正するものであってもよい。
【００１９】
また、例えば、請求項３に記載するように、前記補正手段は、前記ブック読取モードと前記自動搬送読取モードとで、前記読取手段で前記基準原稿を読み取ったときの前記基準領域の読取データに補正係数を演算処理して、各読取モードでの読取レベルを同等のレベルに補正するものであってもよい。
【００２０】
さらに、例えば、請求項４に記載するように、前記基準原稿は、前記基準領域に、濃度の異なる複数の基準パターンが形成されており、前記補正手段は、当該基準原稿の各基準パターンの読取レベルに基づいて、前記各読取モードでの読取レベルを同等のレベルに補正するものであってもよい。
【００２１】
また、例えば、請求項５に記載するように、前記画像読取装置は、前記読取手段としてカラー画像を読み取って各色の色信号を出力するカラー読取手段を備え、前記補正手段は、前記ブック読取モードと前記自動搬送読取モードとで、当該カラー読取手段の読み取った前記基準原稿の読取レベルを各色信号毎に検出して、当該各色信号毎に各読取モードでの読取レベルを同等のレベルに補正するものであってもよい。
【発明の効果】
【００２２】
請求項１記載の発明の画像読取装置によれば、原稿読取台上に載置された原稿を読取手段が移動しながら読み取るブック読取モードと、自動原稿搬送装置により原稿読取位置を搬送される原稿を停止する読取手段で読み取る自動搬送読取モードとで、読取手段で所定の基準原稿を読み込んだときに、当該各読取モードでの読取レベルを同等のレベルに補正手段で補正するので、簡単な構成で、両読取モードでの読取レベルを同等のレベルに補正することができ、安価かつ高精度に両読取モードの読取レベルを関連させて補正して、安価に読取画像の画像品質を向上させることができる。
【００２３】
請求項２記載の発明の画像読取装置によれば、補正手段が、ブック読取モードと自動搬送読取モードとで、読取手段で基準原稿を読み取ったときに、当該基準原稿の予め設定された基準領域の読取レベルを自動検出し、当該基準領域の各読取モードでの読取レベルを同等のレベルに補正するので、安価かつより一層高精度に両読取モードの読取レベルを同等のレベルに補正することができ、安価に読取画像の画像品質をより一層向上させることができる。
【００２４】
請求項３記載の発明の画像読取装置によれば、補正手段が、ブック読取モードと自動搬送読取モードとで、読取手段で基準原稿を読み取ったときの基準領域の読取データに補正係数を演算処理して、各読取モードでの読取レベルを同等のレベルに補正するので、安価かつより一層高精度に両読取モードの読取レベルを同等のレベルに補正することができ、安価に読取画像の画像品質をより一層向上させることができる。
【００２５】
請求項４記載の発明の画像読取装置によれば、基準原稿を、基準領域に、濃度の異なる複数の基準パターンが形成されたものとし、補正手段が、当該基準原稿の各基準パターンの読取レベルに基づいて、各読取モードでの読取レベルを同等のレベルに補正するので、基準原稿の基準パターンに基づいて、より一層高精度に両読取モードの読取レベルを同等のレベルに補正することができ、読取画像の画像品質をより一層向上させることができる。
【００２６】
請求項５記載の発明の画像読取装置によれば、画像読取装置を、読取手段としてカラー画像を読み取って各色の色信号を出力するカラー読取手段を備えたものとし、補正手段が、ブック読取モードと自動搬送読取モードとで、当該カラー読取手段の読み取った基準原稿の読取レベルを各色信号毎に検出して、当該各色信号毎に各読取モードでの読取レベルを同等のレベルに補正するので、カラーの画像読取装置のブック読取モードと自動搬送読取モードでの読取手段の各色毎の読取レベルを同等のレベルに高精度に補正することができ、読取画像の画像品質を向上させることができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１〜図５は、本発明の画像読取装置の第１実施例を示す図であり、図１は、本発明の画像読取装置の第１実施例を適用したスキャナ１の要部正面概略構成図である。
【００２９】
図１において、スキャナ１は、スキャナ本体部２の上部にコンタクトガラス（原稿読取台）３が配設されており、コンタクトガラス３の下方のスキャナ本体部２の内部には、第１キャリッジ４、第２キャリッジ５、レンズユニット６及び光電変換素子としてのＣＣＤ（Charge Coupled Device ）７を搭載するセンサボード８等からなるスキャナ部（読取手段）９が配設されており、第１キャリッジ４は、光源としての照明ランプ４ａ及びミラー４ｂを、また、第２キャリッジ５は、ミラー５ａ、５ｂを、それぞれ搭載している。
【００３０】
スキャナ１は、スキャナ本体部２のコンタクトガラス３の上部に、ＳＤＦ（シートスルー・ドキュメント・フィーダ：自動原稿搬送装置）１０が設けられており、ＳＤＦ１０は、原稿テーブル（原稿台）１１、ピックアップローラ１２、フィードローラ１３、分離ローラ１４、レジストローラ１５、搬送ドラム１６、従動コロ１７、排紙ローラ対１８及び排紙トレイ１９等を備えている。また、スキャナ本体部２の上面であって、搬送ドラム１６と対向する部分には、図２に示すように、シートスルー用コンタクトガラス２０が配設されており、このシートスルー用コンタクトガラス２０と搬送ドラム１６との間には、搬送されてきた原稿Ｇを当該シートスルー用コンタクトガラス２０上にガイドする上ガイド板２１が設けられている。
【００３１】
スキャナ本体部２の上面であって、コンタクトガラス３の原稿セット面側のシートスルー用コンタクトガラス２０側の端部には、コンタクトガラス２０がわの面が白色に施された白基準板２２が配設されており、白基準板２２は、光学系の濃度ムラ、ＣＣＤ７の感度バラツキに関する補正を各ＲＧＢ信号に対して行うためのシェーディングデータを提供する。
【００３２】
排紙トレイ１９は、コンタクトガラス３の上面を開閉可能に、コンタクトガラス３上に配設されており、排紙トレイ１９の裏面は、白色に施されていて、コンタクトガラス３上にセットされた原稿Ｇをコンタクトガラス３に密着させるように押さえつける。
【００３３】
ＳＤＦ１０は、原稿テーブル１１上に、複数枚の原稿Ｇが重ねて載置され、原稿テーブル１１上に載置された複数枚の原稿Ｇを、回転駆動されるピックアップローラ１２によりフィードローラ１３と分離ローラ１４の間に送り出して、当該フィードローラ１３と分離ローラ１４で１枚ずつ原稿Ｇを分離して、レジストローラ１５に送り出す。レジストローラ１５は、送り出されてきた原稿Ｇをタイミング調整して、搬送ドラム１６に搬送し、搬送ドラム１６と従動コロ１７により、シートスルー用コンタクトガラス２０上に搬送する。
【００３４】
スキャナ１は、シートスルー用コンタクトガラス２０の原稿読取位置（図１及び図２にＹで示す位置）を搬送される原稿Ｇの原稿面（シートスルー用コンタクトガラス２０側の面）の画像をスキャナ部９で読み取る。
【００３５】
ＳＤＦ１０は、読み取りの完了した原稿Ｇをさらに排紙ローラ対１８へと搬送して、排紙ローラ対１８により、原稿Ｇを排紙トレイ１９上に排出する。
【００３６】
そして、上記スキャナ部９は、第１キャリッジ４と第２キャリッジ５が図示しないステッピングモータにより水平方向（副走査方向）に移動され、第１キャリッジ４上の照明ランプ４ａ、例えば、蛍光灯等から出射されて図示しないリフレクタ等で集光した光を、コンタクトガラス３上に載置された原稿Ｇに照射して、当該原稿Ｇで反射された光の反射光を第１キャリッジ４上のミラー４ｂで第２キャリッジ５方向に反射し、第２キャリッジ５上のミラー５ａ及びミラー５ｂで第１キャリッジ４から入射される光を順次反射して、レンズユニット６方向に出射させる。レンズユニット６は、第２キャリッジ５から入射される光をＣＣＤ７に集光して照射させる。ＣＣＤ７は、１次元に複数の光電変換素子としてＣＣＤ素子が配列されており、レンズユニット６から入射される入射光を光電変換して、アナログの画像データ（画像信号）を出力する。また、スキャナ部９は、白基準板２２に光を照射して、当該白基準板２２からの反射光を上記同様にＣＣＤ７に入射し、ＣＣＤ７からシェーディング補正用の基準データとして出力する。
【００３７】
そして、スキャナ１は、原稿読取モードとして、ＳＤＦ１０を開いてコンタクトガラス３上に載置された原稿Ｇの画像を読み取るブック読取モードと、ＳＤＦ１０を用いて、原稿テーブル１１上に載置された複数枚の原稿Ｇを１枚ずつシートスルー用コンタクトガラス２０と上ガイド板２１との間の原稿読取位置Ｙに搬送し、停止する第１キャリッジ４の照明ランプ４ａから原稿Ｇに光を照射して、原稿Ｇの画像を読み取るＳＤＦ読取モード（自動搬送読取モード）とがある。
【００３８】
スキャナ１は、ブック読取モードでは、ＳＤＦ１０を開いてコンタクトガラス３上に原稿Ｇがセットされると、照明ランプ４ａを点灯させて、まず、白基準板２２の読み取りを行って、シェーディング補正用の基準データを取得し、その後、第１キャリッジ４及び第２キャリッジ５を、原稿ＧからＣＣＤ７までの光路長が一定となる状態で副走査方向に移動して、コンタクトガラス３上の原稿Ｇの画像を読み取る。スキャナ１は、ブック読取モードで原稿Ｇの画像の読取を完了すると、第１キャリッジ４及び第２キャリッジ５を、図１及び図２にＹで示すホームポジションに戻す。
【００３９】
また、スキャナ１は、ＳＤＦ読取モードでは、原稿テーブル１１上に複数枚の原稿Ｇがセットされると、まず、照明ランプ４ａを点灯させて、白基準板２２の読み取りを行った後、第１キャリッジ４をシートスルー用コンタクトガラス２０の真下の読取位置（ホームポジション）Ｙまで移動させて、停止させる。次に、スキャナ１は、原稿テーブル１１にセットされた原稿Ｇを、回転駆動されるピックアップローラ１２によりフィードローラ１３と分離ローラ１４の間に送り出して、当該フィードローラ１３と分離ローラ１４で１枚ずつ原稿Ｇを分離して、レジストローラ１５に送り出す。レジストローラ１５は、送り出されてきた原稿Ｇをタイミング調整して、搬送ドラム１６に搬送し、搬送ドラム１６と従動コロ１７により、シートスルー用コンタクトガラス２０上の原稿読取位置を搬送する。このとき、原稿Ｇは一定速度で搬送され、第１キャリッジ４及び第２キャリッジ５は停止したままで、第１キャリッジ４上の照明ランプ４ａからシートスルー用コンタクトガラス２０上の原稿読取位置（ホームポジション）Ｙを通して当該搬送される原稿Ｇに光を照射して、当該原稿Ｇで反射された光を、再度シートスルー用コンタクトガラス２０を通して、ミラー４ｂ及び第２キャリッジ５上のミラー５ａ、５ｂで反射して、レンズユニット６を通してＣＣＤ７に入射させ、ＣＣＤ７で光電変換して、原稿Ｇの画像を読み取る。
【００４０】
ＳＤＦ１０は、読み取りの完了した原稿Ｇをさらに排紙ローラ対１８へと搬送して、排紙ローラ対１８により、原稿Ｇを排紙トレイ１９上に排出する。
【００４１】
そして、スキャナ１は、図３に示すようにブロック構成されており、上記ＳＤＦ１０及びスキャナ部９を備えているとともに、画像処理部４０とプリンタ部６０及び図示しない操作部等を備えている。
【００４２】
操作部は、各種操作キーを備えているとともに、表示部を備えており、操作キーで各種操作が行われて、当該操作キーで操作された各種命令や設定内容を表示部に表示し、また、スキャナ１からオペレータに通知する各種情報を表示部に表示出力する。
【００４３】
プリンタ部６０は、ＬＤ（レーザダイオード）書込部６１を備え、ＬＤ書込部６１が各色（例えば、イエロー、マゼンタ、シアン、ブラック等）の画像データに基づいてそれぞれ変調したレーザを各色毎の感光体に出射して各色毎の静電潜像を形成して、当該各色の静電潜像を各色のトナーで現像して各色のトナー像を感光体に形成する。プリンタ部６０は、各色のトナー像を順次記録紙上に転写して、フルカラーのトナー像を記録紙に形成し、当該カラーのトナー像の転写された記録紙を定着部で定着させて、カラー画像を形成する。
【００４４】
スキャナ１は、ＳＤＦ１０により原稿Ｇを１枚ずつ読取位置に搬送して、スキャナ部９が当該搬送される原稿Ｇの画像を読み取って、画像処理部４０で一連の画像処理を行い、プリンタ部６０で用紙に画像を記録出力する。
【００４５】
そして、スキャナ部９は、上記ＣＣＤ７の他に、アナログ処理回路３１及びＡ／Ｄコンバータ３２等を備えており、ＣＣＤ７は、ＲＧＢのフィルタを被せたＣＣＤセンサが、３列並んだカラー３ラインＣＣＤが用いられている。アナログ処理回路３１は、ＣＣＤ７から出力されるアナログ波形の信号部分をサンプリングするとともに、アンプを内蔵して、サンプリングしたアナログ信号のゲインを調整して、Ａ／Ｄコンバータ３２に出力する。Ａ／Ｄコンバータ３２は、Ｒ、Ｇ、Ｂ各色のアナログ画像信号を８ビットのカラーデジタル画像情報として画像処理部４０に出力する。
【００４６】
そして、画像処理部４０は、ライン間補正部４１、シェーディング補正部４２、ドット補正部４３、像域分離部４４、レベル検出部４５、スキャナγ部４６、フィルタ部４７、色補正部４８、変倍部４９、プリンタγ部５０及び階調処理部５１等を備えており、上記スキャナ部９のＡ／Ｄコンバータ３２でデジタル変換されたカラーデジタル画像情報がライン間補正部４１に入力される。
【００４７】
ライン間補正部４１は、３ラインＣＣＤであるＣＣＤ７から出力されるＲ、Ｇ、Ｂの各色の信号には、等倍時に、４ライン間隔の位置ズレが存在しているため、このライン間の位置ずれを補正してシェーディング補正部４２に出力する。、すなわち、Ｒ−Ｂ間では、８ラインの位置ズレが存在しているため、ライン間補正部４１は、Ｒ信号を８ライン蓄えて、Ｇ信号を４ライン蓄えて遅延させることで、ライン間の位置ズレを補正している。
【００４８】
シェーディング補正部４３は、光学系の濃度ムラ、ＣＣＤ７の感度バラツキに関する補正を各ＲＧＢ信号に対して行って、シェーディング補正後の信号をドット補正部４３に出力する。
【００４９】
ドット補正部４３は、変倍時において、ライン間補正部４１だけでは位置ズレが合わない場合が生じるため、ライン間補正部４１で補正しきれない１ライン以下の位置ズレを、囲の画素を参照して補正して、補正した信号をスキャナγ部４６に出力するとともに、像域分離部４４とレベル検出部４５にも出力する。
【００５０】
スキャナγ部４６は、反射率に関してリニアな特性を有しているデータを後段の色補正部４８で色補正の補正精度が向上するような特性に変換して、フィルタ部４７に出力する。
【００５１】
像域分離部４４は、後段の処理において画像の特徴に合った最適な処理を行うために、画像が文字領域であるか絵柄領域であるかを判定し、判定結果を、フィルタ部４７、色補正部４８、プリンタγ部５０及び階調処理部５１に出力する。
【００５２】
フィルタ部４７は、文字領域に対しては、シャープにするためにエッジを強調し、絵柄領域に対しては、滑らかにするために平滑化処理を行って、色補正部４８に出力する。
【００５３】
色補正部４８は、ＣＣＤ７で読み取ったＲ、Ｇ、Ｂの信号をＣ、Ｍ、Ｙ、Ｋの信号に変換する。すなわち、ＣＣＤ７の感度、インクの特性は、理想とは異なるため、スキャナ１は、スキャナ部９で読み取った原稿の画像をプリンタ部６０で適切に記録出力するために、色補正部４８が、原稿との差を補正するように色補正パラメータを調整する。
【００５４】
変倍部４９は、主走査方向の変倍処理を行う。この場合、変倍部４９は、一般的なコンボリューション法を使用して変倍処理を行うことで、読取光学系のＭＴＦを保持したまま変倍処理を行い、画像データの解像力を維持する。なお、副走査方向に関しては、副走査方向の走査速度を制御することにより行う。
【００５５】
プリンタγ部５０は、原稿とトナーの分光特性の差、グレーバランス、トップ濃度が適正になるように処理を行い、原稿とコピー濃度を最終的に一致させて、階調処理部５１に出力する。
【００５６】
階調処理部５１は、８ビットの濃度情報を２値化、あるいは、多値化する。このとき、階調処理部５１は、文字領域では、２値化あるいは数段間の多値化を行い、絵柄領域では、ディザ処理あるいは誤差拡散処理を行って、プリンタ部６０に出力する。
【００５７】
プリンタ部６０は、画像処理部４０で処理されたＣ、Ｍ、Ｙ、Ｋの画像データに基づいて、上述のように、ＬＤ書込部６１を介して、記録紙に印字する。
【００５８】
レベル検出部４５は、図４に示すような基準チャートの基準原稿Ｐａを読み取り、基準チャートを読み取ったときの予め設定された基準領域のデータを内部メモリに保存する。レベル検出部４５は、この保存したデータに基づいて、ＳＤＦ読取モードでの読み取り時とブック読取モードでの読み取り時のレベル変換の補正係数Ｋを後述するように決定する。
【００５９】
そして、上記スキャナ部９は、図５に示すように、ＣＣＤ７、アナログ処理回路３１及びＡ／Ｄコンバータ３２を備えているとともに、Ｉ／Ｆ（インタフェース）７１、制御ＡＳＩＣ７２、ＤＡＣ（Ｄ／Ａコンバータ）７３及び切替回路７４等を備えており、アナログ処理回路３１は、サンプルホールド回路７５、黒レベル補正回路７６、増幅回路（アンプ）７７及びマルチプレクサ回路７８等を備えている。
【００６０】
スキャナ部９は、制御ＡＳＩＣ７２からの駆動パルスに同期して、まず、ＣＣＤ７から画像信号Ｖｅ、Ｖｏがアナログ処理回路３１のサンプルホールド回路７５に出力され、サンプルホールド回路６０が、画像信号Ｖｅ、Ｖｏをそれぞれサンプルパルスでサンプリングして保持することにより、画像信号を連続したアナログ信号にして黒レベル補正回路７６に出力する。黒レベル補正回路７６は、ＣＣＤ７の暗出力のレベルのバラツキを補正した後、増幅回路７７に出力し、増幅回路７７は、各色信号の奇数、偶数画素の出力を一定レベルに合わせた後、マルチプレクス回路７８に出力する。マルチプレクス回路７８は、奇数画素、偶数画素の出力をマルチプレクスした信号をＡ／Ｄコンバータ３２に出力し、Ａ／Ｄコンバータ３２は、入力信号をデジタルデータに変換して、画像データをＩ／Ｆ７１を介して後段の画像処理部４０に出力する。スキャナ部９は、ＣＣＤ７及びその他の回路の駆動に必要な信号を、制御ＡＳＩＣ７２で生成される。そして、ＣＣＤ７が３ラインＣＣＤの場合は、上記同様の回路を各ＲＧＢ信号毎に備える。
【００６１】
次に、本実施例の作用を説明する。本実施例のスキャナ１は、読取モードとしてＳＤＦ１０を用いたＳＤＦ読取モードとコンタクトガラス３上に直接セットされた原稿Ｇを読み取るブック読取モードとがあり、両モードでの読取レベルが同等になるように調整するところにその特徴がある。
【００６２】
まず、スキャナ１は、原稿読取前に白基準板２２を読み取ってシェーディングデータを取得してメモリに格納し、当該シェーディングデータに基づいて、原稿Ｇの画像を読み取った画像データをシェーディング補正するが、このシェーディングデータ生成時と原稿Ｇの画像データの生成時とで、ＣＣＤ７の読み取った画像データをＡ／Ｄコンバータ３２でデジタル変換する際のリファレンス・トップ電圧を変更する。
【００６３】
すなわち、スキャナ１は、シェーディング補正部４２でシェーディング補正処理を行うが、このシェーディング補正処理では、まず、原稿Ｇを読む前に、白基準板２２をＣＣＤ７で読み取り、白基準板２２を読み取ったときの画像データをシェーディングデータＳｄとして、シェーディング補正部４２の内部メモリに格納する。そして、シェーディング補正部４２は、原稿Ｇを読み取った画像データに対して、主走査方向の各読取位置に対し、ドット単位でシェーディングデータＳｄと読取データＤとの間で補正処理を行う。シェーディング補正部４２は、データが８ビットの場合、次式（１）に示すシェーディング演算を行うことで、シェーディング補正処理を行う。
【００６４】
シェーディング補正後データＤａ＝Ｄ／Ｓｄ×２５５・・・（１）
そして、スキャナ１は、シェーディングデータＳｄの生成時と、原稿読取時（読取データＤ）とで、Ａ／Ｄコンバータ３２に供給するリファレンス・トップ電圧Vreftを切替回路７４で切り換える。
【００６５】
いま、シェーディングデータＳｄの生成時のリファレンス・トップ電圧Vreftを、Ｖ１とし、原稿読取時のリファレンス・トップ電圧Vreftを、Ｖ２としたとき、工場調整、あるいは、市場において、基準チャートの原稿Ｐａ（図４参照）を読み込んで、基準チャートの原稿Ｐａの各パターンの読取レベルがＳＤＦ読取モードとブック読取モードとで同等になるように、原稿読取時のリファレンス・トップ電圧Vreftであるリファレンス・トップ電圧Ｖ２を調整する。この原稿読取時のリファレンス・トップ電圧Ｖ２の調整を、スキャナ１の各機種毎に行い、機種間の読取レベルのバラツキを無くすようにする。
【００６６】
スキャナ１は、リファレンス・トップ電圧Ｖ１、Ｖ２を、初期化時に、制御ＡＳＩＣ７２によりＤ／Ａコンバータ７３に設定して、切替回路７４を介してＡ／Ｄコンバータ３２に出力する。
【００６７】
そして、ＳＤＦ読取モードとブック読取モードとの読取レベルを同等に調整する方法としては、基準チャートの原稿Ｐａの読み取りを、ＳＤＦ読取モードとブック読取モードの両方で行い、その読取レベルを同じにする方法と、ブック読取モードでの読取レベルは、工場調整時の読取レベルを記憶し、市場では、基準チャートの原稿ＰａをＳＤＦ読取モードでのみ読み取り、その読取レベルが予め記憶されている読取レベルと同等になるように補正する方法等を用いることができる。
【００６８】
このように、本実施例のスキャナ１は、コンタクトガラス３上に載置された原稿Ｇをスキャナ部９が移動しながら読み取るブック読取モードと、ＳＤＦ１０により原稿読取位置Ｙを搬送される原稿Ｇを停止するスキャナ部９で読み取るＳＤＦ読取モード（自動搬送読取モード）とで、スキャナ部９で所定の基準原稿Ｐａを読み込んだときに、当該各読取モードでの読取レベルを同等のレベルに補正している。
【００６９】
したがって、簡単な構成で、両読取モードでの読取レベルを同等のレベルに補正することができ、安価かつ高精度に両読取モードの読取レベルを関連させて補正して、安価に読取画像の画像品質を向上させることができる。
【００７０】
また、本実施例のスキャナ１は、ブック読取モードと自動搬送読取モードとで、スキャナ部９で基準原稿Ｐａを読み取ったときに、当該基準原稿Ｐａの予め設定された基準領域の読取レベルを自動検出し、当該基準領域の各読取モードでの読取レベルを同等のレベルに補正している。
【００７１】
したがって、安価かつより一層高精度に両読取モードの読取レベルを同等のレベルに補正することができ、安価に読取画像の画像品質をより一層向上させることができる。
【実施例２】
【００７２】
図６は、本発明の画像読取装置の第２実施例を適用したスキャナによる読取レベル調整処理を示すフローチャートである。
【００７３】
なお、本実施例は、上記第１実施例のスキャナ１と同様のスキャナに適用したものであり、本実施例の説明においては、必要に応じて、上記第１実施例で用いた符号をそのまま用いて説明する。
【００７４】
本実施例のスキャナ１は、上記シェーディング演算式（１）に、ブック読取モード時とＳＤＦ読取モード時とで異なるシェーディングデータ補正係数Ｋを乗算することで、ブック読取モードとＳＤＦ読取モードとで読取レベルを同等のレベルに補正している。
【００７５】
すなわち、上記シェーディング演算式（１）において、シェーディングデータ補正係数Ｋを、次式（２）に示すように、乗算するが、この補正係数Ｋをブック読取モード時とＳＤＦ読取モード時とで切り換えて、ＳＤＦ読取モードとブック読取モードとで読取レベルを同等にする。
【００７６】
シェーディング補正後データＤａ＝Ｄ／Ｓｄ×２５５×Ｋ・・・（２）
すなわち、ＳＤＦ読取モードでは、ホームポジションＹでの読み取りとなり、原稿Ｇの浮き、照明ランプ４ａの照射条件等の影響で、通常は、ブック読取モード時よりも、暗めとなる。
【００７７】
例えば、ブック読取モードでの読取レベルを１００％としたとき、ＳＤＦ読取モードでの読取レベルが９０％と少し暗めになるときには、以下に示すように補正係数Ｋを設定して切り換える。
【００７８】
ブック読取モード時：Ｋ＝１．０
ＳＤＦ読取モード時：Ｋ＝１．１
このように、ブック読取モード時とＳＤＦ読取モード時とで、シェーディング補正時の補正係数Ｋを切り換えることで、ＳＤＦ読取モード時のシェーディング補正後の読取レベルをブック読取モード時の読取レベルと同等にすることができる。
【００７９】
このシェーディングデータ補正係数Ｋは、前述したように基準チャートの原稿Ｐａを読み取り、各パターンの読取レベルから決定する。
【００８０】
スキャナ１が、カラースキャナの場合は、シェーディング補正演算もＲＧＢ毎に行い、ＳＤＦ読取モードでの読取データとブック読取モードでの読取データのレベル変動の比率が、ＲＧＢで異なる場合には、ＲＧＢ毎にシェーディング補正係数Ｋを持つこともできる。
【００８１】
そして、スキャナ１は、図６に示すように読取レベル調整処理を行う。すなわち、スキャナ１は、コピー時において、操作部のスタートキーが押された後、図示しないシステムコントローラで、ＳＤＦ１０に原稿Ｇがセットされているかチェックして読取モードがＳＤＦ読取モードであるか、ブック読取モードであるかを判断する（ステップＳ１０１）。
【００８２】
スキャナ１は、ステップＳ１０１で、ＳＤＦ１０に原稿Ｇがセットされていない場合、すなわち、ブック読取モードのときには、スキャナ１の読取モードをブック読取モードに設定して、シェーディングデータ補正係数Ｋとして、ブック読取モード時の値Ｋａをセットし（ステップＳ１０２）、ステップＳ１０１で、ＳＤＦ１０の原稿テーブル１１に原稿Ｇがセットされている場合、すなわち、ＳＤＦ読取モードのときには、スキャナ１の読取モードをＳＤＦ読取モードに設定して、シェーディングデータ補正係数Ｋとして、ＳＤＦ読取モード時の値Ｋｄをセットする（ステップＳ１０３）。なお、シェーディング補正係数Ｋは、ブック読取モード時を基準とする場合は、例えば、ブック読取モード時シェーディング補正係数Ｋａ＝１．０、ＳＤＦ読取モード時シェーディング補正係数Ｋｄ＝１．１となる。
【００８３】
そして、スキャナ１は、制御ＡＳＩＣ７２が、Ｄ／Ａコンバータ７３の出力１チャンネルを電圧Ｖ１に、もう１チャンネルを電圧Ｖ２にセットし、続いて、切替回路７４で、電圧Ｖ１を、リファレンス・トップ電圧VreftとしてＡ／Ｄコンバータ３２に出力する（ステップＳ１０４）。
【００８４】
次に、スキャナ１は、モータスタート及び照明ランプ４ａをＯＮ（オン）して、第１キャリッジ４、第２キャリッジ５をフォワード方向に移動させ（ステップＳ１０５）、第１キャリッジ４が白基準板２２に到達すると、白基準板２２を走査しながらシェーディングデータＳｄを生成する（ステップＳ１０６）。
【００８５】
スキャナ１は、シェーディングデータを生成すると、切替回路７４により電圧Ｖ2をリファレンス・トップ電圧Vreftとして、Ａ／Ｄコンバータ３２に出力させ（ステップＳ１０７）、第１キャリッジ４がコンタクトガラス３上の原稿Ｇの先端に到達した時点で、原稿Ｇの画像の読み取りを開始して、原稿Ｇの画像読取データに対して、シェーディング補正部４２で、上記シェーディング補正係数Ｋの乗算された上記（２）式でシェーディング補正演算を行う（ステップＳ１０８）。
【００８６】
スキャナ１は、第１キャリッジ４が原稿Ｇの終端に到達した時点で原稿Ｇの画像の読み取りを終了するとともに、モータストップ及びランプのＯＦＦ（オフ）を行い（ステップＳ１０９）、続いて、第１キャリッジ４及び第２キャリッジ５をリターン方向に移動させる（ステップＳ１１０）。
【００８７】
スキャナ１は、第１キャリッジ４及び第２キャリッジ５がホームポジションに到達した時点で、モータをストップさせて、ブック読取モードでの読取動作を終了する（ステップＳ１１１）。
【００８８】
このように、本実施例のスキャナ１は、ブック読取モードとＳＤＦ読取モード（自動搬送読取モード）とで、スキャナ部９で基準原稿Ｐａを読み取ったときの所定領域の読取データに補正係数Ｋを演算処理して、各読取モードでの読取レベルを同等のレベルに補正している。
【００８９】
したがって、安価かつより一層高精度に両読取モードの読取レベルを同等のレベルに補正することができ、安価に読取画像の画像品質をより一層向上させることができる。
【実施例３】
【００９０】
図７及び図８は、本発明の画像読取装置の第３実施例を示す図であり、図７は、本発明の画像読取装置の第３実施例を適用したスキャナによる読取レベル調整処理を示すフローチャートである。
【００９１】
なお、本実施例は、上記第１実施例のスキャナ１と同様のスキャナに適用したものであり、本実施例の説明においては、必要に応じて、上記第１実施例で用いた符号をそのまま用いて説明する。
【００９２】
本実施例のスキャナ１は、図７にその読取レベル調整処理を示すように、スキャナγ部４６でのγデータをブック読取モードとＳＤＦ読取モードで変化させて、両モードでの読取レベルが同等になるように調整する。
【００９３】
すなわち、スキャナ１は、コピー時において、操作部のスタートキーが押された後、図示しないシステムコントローラで、ＳＤＦ１０に原稿Ｇがセットされているかチェックして読取モードがＳＤＦ読取モードであるか、ブック読取モードであるかを判断する（ステップＳ２０１）。
【００９４】
スキャナ１は、ステップＳ２０１で、ＳＤＦ１０の原稿テーブル１１に原稿Ｇがセットされていない場合、すなわち、ブック読取モードのときには、スキャナ１の読取モードをブック読取モードに設定して、γデータとして、ブック読取モード時のγデータをセットし（ステップＳ２０２）、ステップＳ２０１で、ＳＤＦ１０に原稿Ｇがセットされている場合、すなわち、ＳＤＦ読取モードのときには、スキャナ１の読取モードをＳＤＦ読取モードに設定して、γデータとして、ＳＤＦ読取モード用のγデータを設定する（ステップＳ２０３）。
【００９５】
すなわち、原稿反射率と読取画像データとが、図８（ａ）に示すように、リニアな場合は、上述のように、シェーディング補正係数Ｋを、ブック読取モードとＳＤＦ読取モードとで切り換えることで、ブック読取モードとＳＤＦ読取モードの読取レベルを同等にすることができるが、ＳＤＦ読取モードでの読取時の原稿反射率と読取画像データの関係が、図８（ｂ）に示すように、リニアではない関係の場合には、上述のようにシェーディング補正係数Ｋを、ブック読取モードとＳＤＦ読取モードとで切り換えるだけでは、ブック読取モードの読取レベルとＳＤＦ読取モードの読取レベルの誤差が大きくなってしまう。
【００９６】
すなわち、スキャナγ部４６は、反射率に関してリニアな特性を持っているデータを後段の色補正部４８での色補正の補正精度が向上するような特性に変換しているが、このスキャナγ部４６のγデータを、図８（ｂ）の特性を補正するためにも使用することで、誤差を小さくすることができる。
【００９７】
そこで、図４に示したような濃度の異なる基準チャートの基準原稿Ｐａのパターンを読み取ることによりγデータを作成する。なお、このパターンが多いほどより正確なγ変換を行うことができる。このとき、スキャナ１がカラースキャナの場合は、各ＲＧＢ信号毎にγデータを生成する。
【００９８】
そして、このようにして作成してメモリに保存したγデータを上記ブック読取モード用のγデータとＳＤＦ読取モード用のγデータとして異なるγデータを設定する。
【００９９】
スキャナ１は、γデータの設定を行うと、制御ＡＳＩＣ７２が、Ｄ／Ａコンバータ７３の出力１チャンネルを電圧Ｖ１に、もう１チャンネルを電圧Ｖ２にセットし、続いて、切替回路７４で、電圧Ｖ１を、リファレンス・トップ電圧VreftとしてＡ／Ｄコンバータ３２に出力する（ステップＳ２０４）。
【０１００】
次に、スキャナ１は、モータスタート及び照明ランプ４ａをＯＮ（オン）して、第１キャリッジ４、第２キャリッジ５をフォワード方向に移動させ（ステップＳ１０５）、第１キャリッジ４が白基準板２２に到達すると、白基準板２２を走査しながらシェーディングデータＳｄを生成する（ステップＳ２０６）。
【０１０１】
スキャナ１は、シェーディングデータを生成すると、切替回路７４により電圧Ｖ2をリファレンス・トップ電圧Vreftとして、Ａ／Ｄコンバータ３２に出力させ（ステップＳ２０７）、第１キャリッジ４がコンタクトガラス３上の原稿Ｇの先端に到達した時点で、原稿Ｇの画像の読み取りを開始して、原稿Ｇの画像読取データに対して、シェーディング補正部４２で、上記シェーディング補正を行うとともに、スキャナγ部４６で読取モードに応じてγ変換を行う。
【０１０２】
スキャナ１は、第１キャリッジ４が原稿Ｇの終端に到達した時点で原稿Ｇの画像の読み取りを終了するとともに、モータストップ及びランプのＯＦＦ（オフ）を行い（ステップＳ２０９）、続いて、第１キャリッジ４及び第２キャリッジ５をリターン方向に移動させる（ステップＳ２１０）。
【０１０３】
スキャナ１は、第１キャリッジ４及び第２キャリッジ５がホームポジションに到達した時点で、モータをストップさせて、ブック読取モードでの読取動作を終了する（ステップＳ２１１）。
【０１０４】
このように、本実施例のスキャナ１は、ＳＤＦ読取モードでの読取時の原稿反射率と読取画像データの関係がリニアではない関係の場合にも、γデータをブック読取モードとＳＤＦ読取モードとで、切り換えて、適切なγ変換を行い、ブック読取モードとＳＤＦ読取モードとで、読取レベルを同等のレベルにして、画像品質を向上させることができる。
【０１０５】
また、本実施例のスキャナ１は、スキャナ部９としてカラー画像を読み取って各色の色信号を出力するものとし、ブック読取モードとＳＤＦ読取モードとで、当該スキャナ部９の読み取った基準原稿Ｐａの読取レベルを各色信号毎に検出して、当該各色信号毎に各読取モードでの読取レベルを同等のレベルに補正している。
【０１０６】
したがって、カラーのスキャナ１のブック読取モードとＳＤＦ読取モードでのスキャナ部９の各色毎の読取レベルを同等のレベルに高精度に補正することができ、読取画像の画像品質を向上させることができる。
【０１０７】
以上、本発明者によってなされた発明を好適な実施の形態に基づき具体的に説明したが、本発明は上記のものに限定されるものではなく、その要旨を逸脱しない範囲で種々変更可能であることはいうまでもない。
【産業上の利用可能性】
【０１０８】
ブック読取モードとＳＤＦ読取モード（自動搬送読取モード）の両モードで原稿の読み取りを行う画像読取装置一般に適用することができる。
【図面の簡単な説明】
【０１０９】
【図１】本発明の画像読取装置の第１実施例を適用したスキャナの要部正面概略構成図。
【図２】図１のシートスルー用コンタクトガラス部分の拡大正面図。
【図３】図１のスキャナの要部回路ブロック構成図。
【図４】基準チャートの原稿の一例の平面図。
【図５】図３のスキャナ部の詳細な回路ブロック構成図。
【図６】本発明の画像読取装置の第２実施例を適用したスキャナによる読取レベル調整処理を示すフローチャート。
【図７】本発明の画像読取装置の第３実施例を適用したスキャナによる読取レベル調整処理を示すフローチャート。
【図８】原稿反射率と読取画像データとがリニアな場合（ａ）と非リニアな場合（ｂ）の原稿反射率と読取画像データの関係を示す図。
【符号の説明】
【０１１０】
１  スキャナ
２  スキャナ本体部
３  コンタクトガラス
４  第１キャリッジ
４ａ  照明ランプ
４ｂ  ミラー
５  第２キャリッジ
５ａ、５ｂ  ミラー
６  レンズユニット
７  ＣＣＤ
８  センサボード
９  スキャナ部
１０  ＳＤＦ
１１  原稿テーブル
１２  ピックアップローラ
１３  フィードローラ
１４  分離ローラ
１５  レジストローラ
１６  搬送ドラム
１７  従動コロ
１８  排紙ローラ対
１９  排紙トレイ
２０  シートスルー用コンタクトガラス
２１  上ガイド板
２２  白基準板
４０  画像処理部
６０  プリンタ部
６１  ＬＤ書込部
３１  アナログ処理回路
３２  Ａ／Ｄコンバータ
４１  ライン間補正部
４２  シェーディング補正部
４３  ドット補正部
４４  像域分離部
４５  レベル検出部
４６  スキャナγ部
４７  フィルタ部
４８  色補正部
４９  変倍部
５０  プリンタγ部
５１  階調処理部
７１  Ｉ／Ｆ（インタフェース）
７２  制御ＡＳＩＣ
７３  ＤＡＣ（Ｄ／Ａコンバータ）
７４  切替回路
７５  サンプルホールド回路
７６  黒レベル補正回路
７７  増幅回路
７８  マルチプレクサ回路
Ｇ  原稿
Ｐａ  基準チャートの原稿
【図１】
2005094300.tif 000003
【図２】
2005094300.tif 000004
【図３】
2005094300.tif 000005
【図４】
2005094300.tif 000006
【図５】
2005094300.tif 000007
【図６】
2005094300.tif 000008
【図７】
2005094300.tif 000009
【図８】
2005094300.tif 000010